【事件の表示】
　特願２００５−　６２２４５「ラベル作成方法、プリンタ制御装置、プログラム及び記録媒体」拒絶査定不服審判事件〔平成１８年　９月１４日出願公開、特開２００６−２４０２２６〕について、次のとおり審決する。
【結　論】
　本件審判の請求は、成り立たない。
【理　由】
第１　手続の経緯
　
　本願は、平成１７年３月７日の出願であって、平成２２年４月２７日付けで拒絶の理由が通知され、同年６月２２日付けで手続補正（以下「本件１次補正」という。）がなされ、同年８月２日付けで拒絶の理由が通知され、同年９月２２日付けで手続補正がなされ、この平成２２年９月２２日付け補正が同年１１月１６日付けで却下され、同日付けで拒絶査定がなされ、これに対して、平成２３年１月３１日に拒絶査定不服審判が請求されると同時に手続補正（以下「本件２次補正」という。）がなされたものである。
　なお、請求人は、当審における平成２３年３月２８日付け審尋に対して、同年５月１９日付けで回答書を提出している。
　
第２　本願の願書に最初に添付した特許請求の範囲、明細書又は図面（以下「当初明細書等」という。）の記載
　
１　特許請求の範囲には、プリンタ制御装置の発明として、次の記載がある（下線は審決で付した。以下同じ。）。
「【請求項４】
　ラベルプリンタを制御するプリンタ制御装置であって、
　１つのラベルに印字される連続する複数のデータを作成する作成手段と；
　前記複数のデータを１つのラベルに印字される１つのデータとして前記ラベルプリンタに認識させる認識手段と；を備えるプリンタ制御装置。
【請求項５】
　前記作成手段は、前記複数のデータをラベルの送り方向である行方向、及び前記行方向に直交する列方向の少なくともいずれかの方向に配列することを特徴とする請求項４に記載のプリンタ制御装置。
【請求項６】
　前記複数のデータは前記行方向と前記列方向とにそれぞれ配列され、
　前記複数のデータは、その番号が前記行方向に連続していることを特徴とする請求項５に記載のプリンタ制御装置。」
　
２　明細書の発明の詳細な説明には、プリンタ制御装置及びラベルの切り込みに関連する次の記載がある。
（１）「【０００１】
　本発明は、…(略)…プリンタ制御装置…(略)…に係り、更に詳しくは、…(略)…ラベルプリンタを制御するプリンタ制御装置…(略)…に関する。
【背景技術】
　【０００２】
　現在、バーコードはいろいろな産業分野で用いられ、商品の管理に欠くことのできないものとなっている。そして、バーコード用の用紙（以下「バーコード用紙」と略述する）が用紙メーカやラベルメーカから市販されるようになった。また、
バーコード用紙にバーコードを印刷するためのラベルプリンタ
　【０００３】
　
バーコード用紙は、台紙に複数のラベルが貼り付けられたものである
各ラベル間には、一例として図１６に示されるように、２〜５ｍｍのギャップが設けられている
　【０００４】
　
一般のラベルプリンタは、上記ギャップを検知するセンサーなどを備えている
　【０００５】
　ところで、電気製品等に用いられるプリント基板も一つの製品であり、各プリント基板には製品のシリアル番号等を示すバーコードが印刷されたラベルが貼られている。
　【０００６】
　近年、電気製品等の小型化の要求に応じて、プリント基板は小型化が進んでいる。これに伴って、プリント基板におけるラベルエリアも縮小傾向にある。現在では、
サイズが２５ｍｍ（幅）×４ｍｍ（長さ）程度のラベルが要求され
　【０００７】
　しかしながら、特許文献１に開示されている
ラベルプリンタでは、ギャップを正しく検知するには、
バーコードが小さくても、１枚のバーコード用紙に印刷できるバーコードの数を増やすことができず、無駄が多いという不都合があった
　【０００８】
　　【特許文献１】特開平９−２６７５２３号公報
【発明の開示】
【発明が解決しようとする課題】
　【０００９】
　本発明は、かかる事情の下になされたもので、…(略)…。
　【００１０】
　また、本発明の第２の目的は、ラベルプリンタに対して１つのラベルに連続する複数のデータを印刷させることができるプリンタ制御装置を提供することにある。
…(略)…
【課題を解決するための手段】
　【００１２】
　請求項１に記載の発明は、ラベルプリンタを用いて情報が印刷されたラベルを作成するラベル作成方法であって、連続する複数のデータを１つのラベルに印字される１つのデータとして前記ラベルプリンタに認識させる工程を含むラベル作成方法である。
　【００１３】
　これによれば、ラベルプリンタに対して、連続する複数のデータを１つのラベルに印字される１つのデータとして認識させているため、連続する複数のデータが印刷されたラベルを作成することが可能となる。
…(略)…
　【００１６】
　
請求項４に記載の発明は、ラベルプリンタを制御するプリンタ制御装置であって、１つのラベルに印字される連続する複数のデータを作成する作成手段と；前記複数のデータを１つのラベルに印字される１つのデータとして前記ラベルプリンタに認識させる認識手段と；を備えるプリンタ制御装置である
　【００１７】
　
これによれば、作成手段により１つのラベルに印字される連続する複数のデータが作成され、該複数のデータは、認識手段により１つのラベルに印字される１つのデータとしてラベルプリンタに認識される。従って、ラベルプリンタに対して１つのラベルに連続する複数のデータを印刷させることが可能となる
　【００１８】
　この場合において、請求項５に記載のプリンタ制御装置の如く、前記作成手段は、前記複数のデータをラベルの送り方向である行方向、及び前記行方向に直交する列方向の少なくともいずれかの方向に配列することとすることができる。
　【００１９】
　この場合において、請求項６に記載のプリンタ制御装置の如く、前記複数のデータが前記行方向と前記列方向とにそれぞれ配列される場合には、前記複数のデータは、その番号が前記行方向に連続していることとすることができます。
　【００２０】
　請求項７に記載の発明は、ラベルプリンタを制御するプリンタ制御装置で用いられるプログラムあって、連続する複数のデータを１つのラベルに印字される１つのデータとして前記ラベルプリンタに認識させる手順を前記プリンタ制御装置に実行させるプログラムである。
　【００２１】
　これによれば、本発明のプログラムが所定のメモリにロードされ、その先頭アドレスがプログラムカウンタにセットされると、プリンタ制御装置は、連続する複数のデータを１つのラベルに印字される１つのデータとしてラベルプリンタに認識させる。すなわち、本発明のプログラムによれば、プリンタ制御装置に請求項１に記載の発明に係るラベル作成方法を実行させることができ、これにより、ラベルプリンタに対して１つのラベルに連続する複数のデータを印刷させることが可能となる。
　【００２２】
　請求項８に記載の発明は、請求項７に記載のプログラムが記録されたコンピュータ読み取り可能な記録媒体である。
　【００２３】
　これによれば、請求項７に記載のプログラムが記録されているために、コンピュータに実行させることにより、ラベルプリンタに対して１つのラベルに連続する複数のデータを印刷させることが可能となる。」
（２）「【発明を実施するための最良の形態】
　【００２４】
　以下、本発明の一実施形態を図１〜図１５に基づいて説明する。図１には、本発明の一実施形態に係るプリンタ制御装置としてのパーソナルコンピュータ（以下「パソコン」という）１００の概略構成が示されている。
　【００２５】
　この図１に示されるパソコン１００は、ＣＰＵ１０２、フラッシュＲＯＭ１０４、ＲＡＭ１０６、入力装置１０８、表示装置１１０、及びインターフェース１２０などを備えている。
　【００２６】
　前記フラッシュＲＯＭ１０４は、プログラム領域とデータ領域とから構成されている。プログラム領域には、ＣＰＵ１０２にて解読可能なコードで記述された、本発明に係るプログラムを含む複数のプログラムが格納されている。データ領域には、生産管理情報、機種情報、用紙情報、印字履歴情報などが格納されている。
　【００２７】
　生産管理情報としては、一例として図２に示されるように、生産月、該生産月に生産されるロットのロット番号、該ロットで生産される機種の部番、生産台数が含まれている。
　【００２８】
　機種情報としては、一例として図３に示されるように、部番、印字書式、色、用紙の種類、最終番号が含まれている。なお、印字書式とは、１ラベルに複数のバーコードを印字するときのバーコードの並び方を示している。例えば、５×２とは、一例として図４に示されるように、５行２列に並べることを意味し、降順とは、第１列の１行目から第１列の５行目向かって番号が増加し、次に第２列の１行目から第２列の５行目向かって番号が増加することを意味している。ここでは、
行方向
列方向
行方向
　【００２９】
　用紙情報としては、一例として図５に示されるように、１ラベルの大きさであるラベルサイズ（幅、長さ）、幅方向のラベル数であるラベル配列が含まれている。なお、
ここでは、ロール状の用紙が用いられる
各ラベルには、印刷されたバーコードを個別に台紙から剥がせるように、印字書式に応じた切り込みが予め入れられている
　【００３０】
　前記表示装置１１０は、例えば液晶ディスプレイ（ＬＣＤ）などを用いた表示部（図示省略）を備え、ＣＰＵ１０２から指示された各種情報を表示する。
　【００３１】
　前記入力装置１０８は、例えばキーボードなどの入力手段（図示省略）を備え、ユーザから入力された各種情報をＣＰＵ１０２に通知する。
　【００３２】
　前記インターフェース１２０は、印字装置との双方向の通信を行うための通信インターフェースである。
　【００３３】
　前記ＣＰＵ１０２は、フラッシュＲＯＭ１０４に格納されている上記プログラムに従って前記各部の動作を制御するとともに、制御に必要なデータなどをＲＡＭ１０６に保存する。
　【００３４】
　本実施形態では、一例として、ラベルプリンタとしての３台の印字装置（ｐ１、ｐ２、ｐ３）及びバーコードスキャナbsが、インターフェース１２０を介してパソコン１００に接続されているものとする。」
（３）「【００３５】
　次に、作業者が入力装置１０８を介してラベル作成要求を入力したときのパソコン１００の動作について、図６及び図７を用いて説明する。図６及び図７のフローチャートは、ＣＰＵ１０２によって実行される一連の処理アルゴリズムに対応している。入力装置１０８からラベル作成要求を受けとると、フラッシュＲＯＭ１０４に格納されている図６及び図７のフローチャートに対応するプログラム（以下、「ラベル作成処理プログラム」という）の先頭アドレスがＣＰＵ１０２のプログラムカウンタにセットされ、ラベル作成処理がスタートする。なお、ここでは、一例として、連続する数字付きのバーコードが印刷されるものとする。
　【００３６】
　最初のステップ４０１では、接続されている印字装置の情報を取得する。具体的には、各印字装置の名称、接続ポートなどを取得する。
　【００３７】
　次のステップ４０３では、各印字装置を初期化する。なお、初期化が不要な印字装置については何もしない。
　【００３８】
　次のステップ４０５では、印字情報などの入力画面を表示装置１１０を介して表示する。ここでは、一例として図８に示されるように、ロット番号、部番、開始番号、枚数、印字書式が入力できるようになっている。
　【００３９】
　次のステップ４０７では、ロット番号が入力されたか否かを判断する。具体的には、ロット番号の入力欄に所定の桁数の英数字が入力されると、ここでの判断は肯定され、ステップ４０９に移行する。
　【００４０】
　このステップ４０９では、入力されたロット番号をキーにして前記生産管理情報（図２参照）を検索し、入力されたロット番号に対応する部番及び生産台数を取得する。ここで取得された部番及び生産台数は、一例として図９に示されるように、表示装置１１０を介して表示される。なお、生産台数は枚数の欄に表示される。以下では、枚数は、必要とされるバーコードの数を示すものとする。
　【００４１】
　次のステップ４１１では、部番をキーにして前記機種情報（図３参照）を検索し、部番に対応する印字書式、色、用紙の種類、及び最終番号を取得する。ここで取得された最終番号は、一例として図１０に示されるように、＋１されて開始番号として表示装置１１０を介して表示される。
　【００４２】
　次のステップ４１３では、用紙の種類をキーにして前記用紙情報（図５参照）を検索し、用紙の種類に対応するラベルサイズ、段数及び列数を取得する。
　【００４３】
　次のステップ４１５では、「ＯＫ」ボタンが押されるのを待機する。なお、開始番号及び枚数は変更することができる。「ＯＫ」ボタンが押されると、ここでの判断は肯定され、ステップ４１７に移行する。
　【００４４】
　このステップ４１７では、用紙の種類、印字色などに応じて印字装置を決定する。ここでは、３つの印字装置のうち１つの印字装置が選択される。
　【００４５】
　次のステップ４１９では、一例として図１１に示されるように、印字装置への用紙のセットを促す画面を表示装置１１０を介して表示する。
　【００４６】
　次のステップ４２１では、「印字開始」ボタンが押されるのを待機する。なお、「印字開始」ボタンよりも先に、「戻る」ボタンが押されると、上記「ＯＫ」ボタンが押される前の表示に戻る。「印字開始」ボタンが押されると、ここでの判断は肯定され、ステップ４２３に移行する。
　【００４７】
　このステップ４２３では、用紙情報を印字装置に出力する。そして、ステップ５０１に移行する。
　【００４８】
　このステップ５０１では、一例として図１２に示されるように、印字書式に応じて、２次元配列のデータ格納領域をＲＡＭ１０６に確保する。ここでは、データ格納領域は、iを列、ｊを段とし、data（i,j）で示されている。
　【００４９】
　次のステップ５０３では、印字番号を示す変数ｍに開始番号をセットする。
　【００５０】
　次のステップ５０５では、印字されたバーコードの数を示すカウンタｎに初期値０をセットする。
　【００５１】
　次のステップ５０７では、２次元配列のデータ格納領域を初期化する。ここでは、各データ格納領域にバーコードに変換されないデータ（例えばヌルデータ）が格納される。
　【００５２】
　次のステップ５０９では、一例として図１３に示されるように、２次元配列のデータ格納領域に印字データを格納する。ここでは、data(1,1)にｍが格納され、data(1,2)にｍ＋１が格納され、data(1,3)にｍ＋２が格納され、data(1,4)にｍ＋３が格納され、data(1,5)にｍ＋４が格納され、data(2,1)にｍ＋５が格納され、data(2,2)にｍ＋６が格納され、data(2,3)にｍ＋７が格納され、data(2,4)にｍ＋８が格納され、data(2,5)にｍ＋９が格納される。
　【００５３】
　次のステップ５１３では、選択された印字装置の特性、ラベルサイズ及びラベル配列などに基づいて、印字データが印刷されるラベルの基準位置に対する位置情報を取得する。
　【００５４】
　次のステップ５１４では、印字データ及び上記位置情報を含む印字情報を生成する。
　【００５５】
　次のステップ５１５では、上記印字情報を選択された印字装置に出力する。このとき、データ格納領域に格納されている各印字データは接続されている印字装置のコマンドに合わせ、専用用語で１ワード単位で出力される。すなわち、データ格納領域に格納されている各印字データは、１つのラベルに印字される印字データとして印字装置に認識される。これにより、一例として図１４に示されるように、１つのラベルに複数のバーコードが印刷される。
　【００５６】
　次のステップ５１７では、ｍに印字されたバーコードの数である印字枚数を加算する。
　【００５７】
　次のステップ５１９では、ｎに印字枚数を加算する。
　【００５８】
　次のステップ５２１では、ｎの値が指定された枚数未満であるか否かを判断する。ｎの値が指定された枚数未満であれば、ここでの判断は肯定され、前記ステップ５０７に戻る。一方、ｎの値が指定された枚数未満でなければ、ここでの判断は否定され、ステップ５２３に移行する。
　【００５９】
　このステップ５２３では、印字データにバーコードが含まれているか否かを判断する。印字データにバーコードが含まれていれば、ここでの判断は肯定され、ステップ５２５に移行する。
　【００６０】
　このステップ５２５では、作業者に、バーコードスキャナbsを用いて最初のバーコードと最後のバーコードを読み取るよう指示する。
　【００６１】
　このステップ５２７では、最初のバーコードと最後のバーコードとを照合し、正常に読み取られたか、及び番号とびや番号重複がないか否かを判断する。正常に読み取られ、かつ番号とびや番号重複がなければ、ここでの判断は肯定され、ステップ５２９に移行する。
　【００６２】
　このステップ５２９では、前記機種情報における最終番号を現在のｍの値に更新する。
　【００６３】
　次のステップ５３３では、前記印字履歴情報に、ロット番号、部番、枚数、最終番号、印字状態、印字日、及び作業者名などを追加する。そして、ラベル作成処理を終了する。」
（４）「【００６４】
　なお、上記ステップ５２７において、バーコードが正常に読み取られなかったり、番号とびや番号重複があれば、ここでの判断は否定され、ステップ５３１に移行する。このステップ５３１では、例えば表示装置１１０に「このラベルは使用できません。破棄して下さい」というメッセージを表示し、作業者にそのラベルの廃棄を通知する。そして、上記ステップ５３３に移行する。
　【００６５】
　また、上記ステップ５２３において、印字データにバーコードが含まれていなければ、ここでの判断は否定され、上記ステップ５２９に移行する。
　【００６６】
　以上の説明から明らかなように、本実施形態に係るパソコン１００では、ＣＰＵ１０２及び該ＣＰＵ１０２にて実行されるプログラムとによって、
作成手段
認識手段
　【００６７】
　また、本実施形態では、記録媒体としてのフラッシュＲＯＭ１０４のプログラム領域に記録されているプログラムのうち、図７に対応するプログラムによって、本発明に係るプログラムが実行されている。
　【００６８】
　そして、上記ラベル作成処理にて、本発明に係るラベル作成が実施されている。
　【００６９】
　以上説明したように、本実施形態に係るパソコン１００によると、印字装置を用いてラベルにバーコードを印刷する際に、１つのラベルに印字される連続する複数の印字データが作成され、該複数の印字データは、１つのラベルに印字される１つの印字データとして印字装置に認識される。従って、印字装置に対して１つのラベルに連続する複数のバーコードを印刷させることが可能となる。」
（５）「【００７０】
　そして、一例として図１５に示されるように、バーコード単価を従来（印字書式が１×１）よりも大きく下げることができる。
　【００７１】
　また、本実施形態によると、複数のバーコードは、その番号が行方向に連続しているため、バーコードを製品に貼り付ける際に、ピンセット等で行方向に５〜６枚を一度に台紙から剥がし、上から順に製品に貼っていくことが可能となる。これにより、バーコードを製品に貼る際にバーコード番号をチェックする工程や、予めバーコード番号を連続させる工程が不要となり、作業工程を簡素化することができる。
　【００７２】
　なお、上記実施形態では、
プリンタ制御装置
パソコン
プリンタの制御に特化した装置
　【００７３】
　また、上記実施形態では、プリンタ制御装置とプリンタとが個別の場合について説明したが、これに限らず、
プリンタ制御装置とプリンタとが一体化
　【００７４】
　また、上記実施形態では、バーコードが行方向及び列方向の両方向に配置される場合について説明したが、これに限らず、バーコードが行方向及び列方向のいずれかの方向に配置されても良い。
　【００７５】
　また、上記実施形態では、バーコードと数字とが印刷される場合について説明したが、これに限らず、例えば、バーコード及び数字の一方であっても良い。
　【００７６】
　また、上記実施形態では、本発明に係るプログラムは、フラッシュＲＯＭ１０４に記録されているが、他の記録媒体（ＣＤ、光磁気ディスク、ＤＶＤ、メモリカード、ＵＳＢメモリ、フレキシブルディスク等）に記録されていても良い。この場合には、各記録媒体に対応する再生装置（又は専用インターフェース）を介して本発明に係るプログラムをフラッシュＲＯＭ１０４にロードすることとなる。また、ネットワーク（ＬＡＮ、イントラネット、インターネットなど）を介して本発明に係るプログラムをフラッシュＲＯＭ１０４に転送しても良い。要するに、本発明に係るプログラムがフラッシュＲＯＭ１０４にロードされれば良い。」
（６）「【産業上の利用可能性】
　【００７７】
　以上説明したように、本発明のラベル作成方法によれば、連続する複数のデータが印刷されたラベルを作成するのに適している。また、本発明のプリンタ制御装置によれば、ラベルプリンタに対して１つのラベルに連続する複数のデータを印刷させるのに適している。また、本発明のプログラム及び記録媒体によれば、プリンタ制御装置に、ラベルプリンタに対して１つのラベルに連続する複数のデータを印刷させるのに適している。」
　
第３　本願の本件１次補正後の特許請求の範囲、明細書又は図面（以下「本件１次補正明細書等」という。）の記載
　
１　特許請求の範囲には、プリンタ制御装置の発明として、次の記載がある。
「　【請求項４】
　複数のラベルがギャップを設けて台紙に貼り付けられている用紙に情報を印刷するラベルプリンタを制御するプリンタ制御装置であって、
　
印字書式に応じてラベルに切り込みを入れる切り込み手段と
　１つのラベルに印字される連続する複数のデータを作成する作成手段と；
　前記複数のデータを１つのラベルに印字される１つのデータとして前記ラベルプリンタに認識させる認識手段と；
　前記複数のデータを、前記台紙の送り方向を列方向、該列方向に直交する方向を行方向とし、ラベルの一の列で送り方向に向かって番号が連続し、それに続く番号が他の列で送り方向に向かって連続するように印刷させる印刷制御手段と；
を備えるプリンタ制御装置
　　【請求項５】
　前記認識手段は、作業者が部番を入力すると、該部番に対応したラベルサイズと前記印字書式を検索して表示することを特徴とする請求項４に記載のプリンタ制御装置。
　　【請求項６】
　前記印字書式で複数のバーコードが印刷され、最初に印刷されたバーコードと最後に印刷されたバーコードを、バーコードスキャナで読み取るように作業者に指示する指示手段と；
　前記バーコードスキャナで読み取られたバーコード情報が正常か否かを判断し、その判断結果を作業者に通知する通知手段と；を更に備えることを特徴とする請求項４又は５に記載のプリンタ制御装置。」
　
２　本件１次補正により当初明細書等の発明の詳細な説明の記載から変更されている記載は次のとおりである。
（１）「【００１２】
　本発明は、第１の観点からすると、複数のラベルがギャップを設けて台紙に貼り付けられている用紙に、ラベルプリンタを用いて情報を印刷するラベル作成方法であって、
印字書式に応じてラベルに切り込みを入れる工程と
を含むラベル作成方法
　【００１３】
　これによれば、連続する複数のデータが印刷されたラベルを作成することが可能となる。
　【００１４】（削除）
　【００１５】（削除）
　【００１６】
　本発明は、第２の観点からすると、複数のラベルがギャップを設けて台紙に貼り付けられている用紙に情報を印刷するラベルプリンタを制御するプリンタ制御装置であって、
印字書式に応じてラベルに切り込みを入れる切り込み手段と
を備えるプリンタ制御装置
　【００１７】
　これによれば、ラベルプリンタに対して１つのラベルに連続する複数のデータを印刷させることが可能となる。
　【００１８】（削除）
　【００１９】（削除）
　【００２０】
　本発明は、第３の観点からすると、複数のラベルがギャップを設けて台紙に貼り付けられている用紙に情報を印刷するラベルプリンタを制御するプリンタ制御装置で用いられるプログラムであって、
印字書式に応じてラベルに切り込みを入れる手順と
を前記プリンタ制御装置に実行させるプログラム
　【００２１】
　これによれば、ラベルプリンタに対して１つのラベルに連続する複数のデータを印刷させることが可能となる。
　【００２２】
　本発明は、第４の観点からすると、本発明のプログラムが記録されたコンピュータ読み取り可能な記録媒体である。
　【００２３】
　これによれば、本発明のプログラムが記録されているために、コンピュータに実行させることにより、ラベルプリンタに対して１つのラベルに連続する複数のデータを印刷させることが可能となる。」
（２）「【００２８】
　機種情報としては、一例として図３に示されるように、部番、印字書式、色、用紙の種類、最終番号が含まれている。なお、印字書式とは、１ラベルに複数のバーコードを印字するときのバーコードの並び方を示している。例えば、５×２とは、一例として図４に示されるように、５行２列に並べることを意味し、降順とは、第１列の１行目から第１列の５行目向かって番号が増加し、次に第２列の１行目から第２列の５行目向かって番号が増加することを意味している。ここでは、列方向はラベルの送り方向であり、行方向は前記列方向に直交する方向である。」
（３）「【００７１】
　また、本実施形態によると、複数のバーコードは、その番号が列方向に連続しているため、バーコードを製品に貼り付ける際に、ピンセット等で列方向に５〜６枚を一度に台紙から剥がし、上から順に製品に貼っていくことが可能となる。これにより、バーコードを製品に貼る際にバーコード番号をチェックする工程や、予めバーコード番号を連続させる工程が不要となり、作業工程を簡素化することができる。」
　
第４　本願の本件２次補正後の特許請求の範囲、明細書又は図面（以下「本件２次補正明細書等」という。）の記載
　
１　特許請求の範囲には、プリンタ制御装置の発明として、次の記載がある。
「　【請求項４】
　複数のラベルがギャップを設けて台紙に貼り付けられている用紙に情報を印刷するラベルプリンタを制御するプリンタ制御装置であって、
　
印字書式に応じてラベルに切り込みを入れる切り込み手段と
　１つのラベルに印字される連続する複数のデータを作成する作成手段と；
　前記複数のデータを１つのラベルに印字される１つのデータとして前記ラベルプリンタに認識させる認識手段と；
　前記複数のデータを、前記台紙の送り方向を列方向、該列方向に直交する方向を行方向とし、１つのラベルの一の列で送り方向に向かって番号が連続し、それに続く番号が他の列で送り方向に向かって連続するように印刷させる印刷制御手段と；を備えるプリンタ制御装置。
　　【請求項５】
　前記認識手段は、作業者が部番を入力すると、該部番に対応したラベルサイズと前記印字書式を検索して表示することを特徴とする請求項４に記載のプリンタ制御装置。
　　【請求項６】
　前記印字書式で複数のバーコードが印刷され、最初に印刷されたバーコードと最後に印刷されたバーコードを、バーコードスキャナで読み取るように作業者に指示する指示手段と；
　前記バーコードスキャナで読み取られたバーコード情報が正常か否かを判断し、その判断結果を作業者に通知する通知手段と；を更に備えることを特徴とする請求項４又は５に記載のプリンタ制御装置。」
　
２　当初明細書等の発明の詳細な説明の記載から変更されている本件２次補正後の記載は次のとおりである。
（１）「【００１２】
　本発明は、第１の観点からすると、複数のラベルがギャップを設けて台紙に貼り付けられている用紙に、ラベルプリンタを用いて情報を印刷するラベル作成方法であって、
印字書式に応じてラベルに切り込みを入れる工程と
を含むラベル作成方法
　【００１３】
　これによれば、連続する複数のデータが印刷されたラベルを作成することが可能となる。
　【００１４】（削除）
　【００１５】（削除）
　【００１６】
　本発明は、第２の観点からすると、複数のラベルがギャップを設けて台紙に貼り付けられている用紙に情報を印刷するラベルプリンタを制御するプリンタ制御装置であって、
印字書式に応じてラベルに切り込みを入れる切り込み手段と
を備えるプリンタ制御装置
　【００１７】
　これによれば、ラベルプリンタに対して１つのラベルに連続する複数のデータを印刷させることが可能となる。
　【００１８】（削除）
　【００１９】（削除）
　【００２０】
　本発明は、第３の観点からすると、複数のラベルがギャップを設けて台紙に貼り付けられている用紙に情報を印刷するラベルプリンタを制御するプリンタ制御装置で用いられるプログラムであって、
印字書式に応じてラベルに切り込みを入れる手順と
を前記プリンタ制御装置に実行させるプログラム
　【００２１】
　これによれば、ラベルプリンタに対して１つのラベルに連続する複数のデータを印刷させることが可能となる。
　【００２２】
　本発明は、第４の観点からすると、本発明のプログラムが記録されたコンピュータ読み取り可能な記録媒体である。
　【００２３】
　これによれば、本発明のプログラムが記録されているために、コンピュータに実行させることにより、ラベルプリンタに対して１つのラベルに連続する複数のデータを印刷させることが可能となる。」
（２）「【００２８】
　機種情報としては、一例として図３に示されるように、部番、印字書式、色、用紙の種類、最終番号が含まれている。なお、印字書式とは、１ラベルに複数のバーコードを印字するときのバーコードの並び方を示している。例えば、５×２とは、一例として図４に示されるように、５行２列に並べることを意味し、降順とは、第１列の１行目から第１列の５行目向かって番号が増加し、次に第２列の１行目から第２列の５行目向かって番号が増加することを意味している。ここでは、列方向はラベルの送り方向であり、行方向は前記列方向に直交する方向である。」
（３）「【００７１】
　また、本実施形態によると、複数のバーコードは、その番号が列方向に連続しているため、バーコードを製品に貼り付ける際に、ピンセット等で列方向に５〜６枚を一度に台紙から剥がし、上から順に製品に貼っていくことが可能となる。これにより、バーコードを製品に貼る際にバーコード番号をチェックする工程や、予めバーコード番号を連続させる工程が不要となり、作業工程を簡素化することができる。」
　
第５　本件２次補正についての補正却下の決定
　
〔補正却下の決定の結論〕
　本件２次補正を却下する。
　
〔理　由〕
１　上記「第４」のとおり、本件２次補正明細書等には、印字書式に応じてラベルに切り込みを入れる切り込み手段を備えるプリンタ制御装置、印字書式に応じてラベルに切り込みを入れる工程を含むラベル作成方法及び印字書式に応じてラベルに切り込みを入れる手順を前記プリンタ制御装置に実行させるプログラムが記載されている。
　
２　また、本件２次補正明細書等には、「各ラベルには、印刷されたバーコードを個別に台紙から剥がせるように、印字書式に応じた切り込みが予め入れられている。」（【００２９】）との記載がある。
　
３　しかし、当初明細書等には、ラベルの「切り込み」に関して、上記２の記載はあるものの、上記１の記載はない。
　
４　当初明細書等には、プリンタ制御装置が「１つのラベルに印字される連続する複数のデータを作成する作成手段」及び「前記複数のデータを１つのラベルに印字される１つのデータとして前記ラベルプリンタに認識させる認識手段」を備える事項は記載されていたが、プリンタ制御装置が「印字書式に応じてラベルに切り込みを入れる切り込み手段」を備える事項は記載されていない。
　
５　当初明細書等の記載（上記「第２」参照。）から、ラベルの「切り込み」と「プリンタ制御装置」との関係について把握することができる事項は、
「プリンタ制御装置はラベルプリンタを制御するものであり、バーコード用紙にバーコードを印刷するためのラベルプリンタが市販されており、バーコード用紙は台紙に複数のラベルが貼り付けられたものであり、バーコード用紙において各ラベル間には２〜５ｍｍのギャップが設けられており、一般のラベルプリンタは各ラベル間には２〜５ｍｍのギャップを検知するセンサーなどを備えており、サイズが２５ｍｍ（幅）×４ｍｍ（長さ）程度のラベルが要求されており、ラベルプリンタでギャップを正しく検知するためにはバーコードが小さくても１枚のバーコード用紙に印刷できるバーコードの数を増やすことができず無駄が多いという不都合があったが、ラベルプリンタを制御するプリンタ制御装置において、１つのラベルに印字される連続する複数のデータを作成する作成手段と；前記複数のデータを１つのラベルに印字される１つのデータとして前記ラベルプリンタに認識させる認識手段と；を備えよれば、作成手段により１つのラベルに印字される連続する複数のデータが作成され、該複数のデータは、認識手段により１つのラベルに印字される１つのデータとしてラベルプリンタに認識されて、ラベルプリンタに対して１つのラベルに連続する複数のデータを印刷させることが可能となり、ここでは、各ラベルに印刷されたバーコードを個別に台紙から剥がせるように印字書式に応じた切り込みが予め入れられているロール状の用紙が用いられる。」といった事項であって、ラベルの「切り込み」と「プリンタ制御装置」との関係について、上記１の「印字書式に応じてラベルに切り込みを入れる切り込み手段を備えるプリンタ制御装置」までは把握できない。
　
６　上記１の「印字書式に応じてラベルに切り込みを入れる切り込み手段を備えるプリンタ制御装置」という技術事項は、本件１次補正により追加され本件２次補正後も残っており、上記５のとおり当初明細書等のすべての記載を総合することにより導かれる技術的事項ではないから、当初明細書等のすべての記載を総合することにより導かれる技術事項との関係において、新たな技術的事項を導入しないものとはいえない。
　
７　小括
　以上のとおりであるから、本件２次補正は、当初明細書等のすべての記載を総合することにより導かれる技術的事項との関係において、新たな技術的事項を導入しないものとはいえない。
　したがって、本件２次補正は、当初明細書等に記載された事項の範囲内でなされたものではないから、平成１８年法律第５５号改正附則第３条第１項によりなお従前の例によるとされる同法による改正前の特許法第１７条の２第３項の規定に違反するので、同法第１５９条第１項において読み替えて準用する同法第５３条第１項の規定により却下すべきものである。 
　
第６　本願発明について
　
１　本願発明
　本件２次補正は上記のとおり却下されたので、本願の請求項１ないし８に係る発明は、本件１次補正後の特許請求の範囲の請求項１ないし８に記載された事項により特定されるとおりのものである。
　
２　原査定の拒絶の理由
　原査定の拒絶の理由は「この出願については、平成２２年８月２日付け拒絶理由通知書に記載した理由によって、拒絶をすべきものでです。」というものであるところ、平成２２年８月２日付け拒絶理由通知書に記載された拒絶の理由は概略次のとおりである。　
「本件１次補正は、下記の点で当初明細書等に記載した事項の範囲内においてしたものでないから、特許法第１７条の２第３項に規定する要件を満たしていない。
　　　　　　　　　　　　　　　　　記
　本件１次補正により、請求項１、４、７および、関連する明細書の段落【００１２】、【００１６】、【００２０】において、『印字書式に応じてラベルに切り込みを入れる工程／印字書式に応じてラベルに切り込みを入れる切り込み手段／印字書式に応じてラベルに切り込みを入れる手順』との記載（構成を）含むようになったが、当初明細書等には、段落【００２９】に『用紙情報としては、一例として図５に示されるように、１ラベルの大きさであるラベルサイズ（幅、長さ）、幅方向のラベル数であるラベル配列が含まれている。なお、ここでは、ロール状の用紙が用いられるものとする。また、各ラベルには、印刷されたバーコードを個別に台紙から剥がせるように、印字書式に応じた切り込みが予め入れられている。』と記載されているように、『各ラベルには、印刷されたバーコードを個別に台紙から剥がせるように、印字書式に応じた切り込みが予め入れられている。』と記載されているのみで、プリンタ制御装置などの構成、工程、手順の中に含まれたものではなく、プリンタ制御装置などの構成、工程、手順に入る前に既に『印字書式に応じた切り込みが入れられ』たラベルを（どこからか入手して）使用する旨の記載でしかなく、これを構成、工程、手順として組み入れることは示唆もないから、本件１次補正は当初明細書等に記載された事項の範囲内とは、認められない。」
　
３　当審の判断
（１）上記「第３」のとおり、本件１次補正明細書等には、印字書式に応じてラベルに切り込みを入れる切り込み手段を備えるプリンタ制御装置、印字書式に応じてラベルに切り込みを入れる工程を含むラベル作成方法及び印字書式に応じてラベルに切り込みを入れる手順を前記プリンタ制御装置に実行させるプログラムが記載されている。
　
（２）また、本件１次補正明細書等には、「各ラベルには、印刷されたバーコードを個別に台紙から剥がせるように、印字書式に応じた切り込みが予め入れられている。」（【００２９】）との記載がある。
　
（３）しかし、当初明細書等には、ラベルの「切り込み」に関して、上記（２）の記載はあるものの、上記（１）の記載はない。
　
（４）当初明細書等には、プリンタ制御装置が「１つのラベルに印字される連続する複数のデータを作成する作成手段」及び「前記複数のデータを１つのラベルに印字される１つのデータとして前記ラベルプリンタに認識させる認識手段」を備える事項は記載されていたが、プリンタ制御装置が「印字書式に応じてラベルに切り込みを入れる切り込み手段」を備える事項は記載されていない。
　
（５）当初明細書等の記載（上記「第２」参照。）から、ラベルの「切り込み」と「プリンタ制御装置」との関係について把握することができる事項は、上記「第５〔理　由〕５」に記載したとおりであって、ラベルの「切り込み」と「プリンタ制御装置」との関係について、上記（１）の「印字書式に応じてラベルに切り込みを入れる切り込み手段を備えるプリンタ制御装置」までは把握できない。
　
（６）上記（１）の「印字書式に応じてラベルに切り込みを入れる切り込み手段を備えるプリンタ制御装置」という技術事項は、本件１次補正により追加された事項であって、上記（５）のとおり当初明細書等のすべての記載を総合することにより導かれる技術的事項ではないから、当初明細書等のすべての記載を総合することにより導かれる技術事項との関係において、新たな技術的事項を導入しないものとはいえない。
　
４　むすび
　以上のとおりであるから、本件１次補正は、当初明細書等のすべての記載を総合することにより導かれる技術的事項との関係において、新たな技術的事項を導入しないものとはいえない。
　したがって、本件１次補正は、当初明細書等に記載された事項の範囲内でなされたものではないから、特許法第１７条の２第３項に規定する要件を満たしていない。
 よって、結論のとおり審決する。